(57)【特許請求の範囲】
【請求項１】
被写体上の各点を点光源として出射する物体光で形成されるホログラムパターンを表示する複数の表示パネルと、前記表示パネルへ参照光を照射する複数または単一の光源と、前記参照光に応じて前記表示パネルから出射する再生された物体光が通過または反射した後に重なり合うように配設された複数のハーフミラーと、前記ホログラムパターンを生成するホログラムパターン発生装置とを備える電子ホログラフィシステムにおける前記ホログラムパターン発生装置において、
前記被写体上の点光源を、前記点光源から出射した光が前記ハーフミラーを通過する際に生じる非点収差を含んだことと等価な、互いに離間して直交する２つの線光源の、互いの位置を入れ替えて生成される新たな２つの線光源のうちのいずれか一方に置き換えて、前記ホログラムパターンを計算するホログラムパターン計算手段を備えることを特徴とするホログラムパターン発生装置。
【請求項２】
前記点光源から出射した光が通過するハーフミラーの厚みおよび屈折率を含む非点収差情報に基づいて、前記新たな２つの線光源の間の距離を前記非点収差の収差量として前記新たな２つの線光源の位置と初期位相とを求める線光源計算手段をさらに備え、
前記ホログラムパターン計算手段は、前記２つの線光源の互いの位置を入れ替える際に、前記点光源から出射する初期位相０の光が、前記新たな２つの線光源のうちの当該点光源から離間した線光源の位置に達したときの位相の符号を反転させたものを新たな線光源の初期位相とすることを特徴とする請求項１に記載のホログラムパターン発生装置。
【請求項３】
前記新たな２つの線光源は、前記点光源から後方に出射する初期位相０の拡散光で形成される線光源の位相の符号を反転した初期位相を有する第１線光源と、この第１線光源から前方に出射する拡散光により前記点光源の位置に形成される第２線光源であり、
前記ホログラムパターン計算手段は、前記第１線光源を用いて前記ホログラムパターンを計算することを特徴とする請求項２に記載のホログラムパターン発生装置。
【請求項４】
前記新たな２つの線光源は、前記点光源から後方に出射する初期位相０の拡散光で形成される線光源の位相の符号を反転した初期位相を有する第１線光源と、この第１線光源から前方に出射する拡散光により前記点光源の位置に形成される第２線光源であり、
前記ホログラムパターン計算手段は、前記第２線光源を用いて前記ホログラムパターンを計算することを特徴とする請求項２に記載のホログラムパターン発生装置。
【請求項５】
前記ホログラムパターン計算手段は、
カラー表示に対応した３原色の光源をそれぞれ参照光とする前記複数の表示パネルに表示させるホログラムパターンをそれぞれ計算することを特徴とする請求項１ないし請求項４のいずれか一項に記載のホログラムパターン発生装置。
【請求項６】
被写体上の各点を点光源として出射する物体光で形成されるホログラムパターンを表示する複数の表示パネルと、前記表示パネルへ参照光を照射する複数または単一の光源と、前記参照光に応じて前記表示パネルから出射する再生された物体光が通過または反射した後に重なり合うように配設された複数のハーフミラーと、前記ホログラムパターンを生成するホログラムパターン発生装置とを備える電子ホログラフィシステムにおける電子ホログラフィの非点収差補正方法において、
前記ホログラムパターン発生装置は、
前記点光源から出射した光が通過するハーフミラーの厚みおよび屈折率を含む非点収差情報に基づいて、前記点光源から出射した光が前記ハーフミラーを通過する際に生じる非点収差を含んだことと等価な、互いに離間して直交する２つの線光源の間の距離を前記非点収差の収差量として前記２つの線光源の位置と初期位相とを求める線光源計算ステップと、
前記点光源を、前記２つの線光源の互いの位置を入れ替えて生成される新たな２つの線光源のうちのいずれか一方に置き換えて、前記ホログラムパターンを計算するホログラムパターン計算ステップとを含んで実行することを特徴とする電子ホログラフィの非点収差補正方法。
【請求項７】
被写体上の各点を点光源として出射する物体光で形成されるホログラムパターンを表示する複数の表示パネルと、前記表示パネルへ参照光を照射する複数または単一の光源と、前記参照光に応じて前記表示パネルから出射する再生された物体光が通過または反射した後に重なり合うように配設された複数のハーフミラーと、前記ホログラムパターンを生成するホログラムパターン発生装置とを備える電子ホログラフィシステムにおいて前記ホログラムパターンを発生させるために、コンピュータを、
前記点光源から出射した光が通過するハーフミラーの厚みおよび屈折率を含む非点収差情報に基づいて、前記点光源から出射した光が前記ハーフミラーを通過する際に生じる非点収差を含んだことと等価な、互いに離間して直交する２つの線光源の間の距離を前記非点収差の収差量として前記２つの線光源の位置と初期位相とを求める線光源計算手段、
前記点光源を、前記２つの線光源の互いの位置を入れ替えて生成される新たな２つの線光源のうちのいずれか一方に置き換えて、前記ホログラムパターンを計算するホログラムパターン計算手段、
として機能させることを特徴とするホログラムパターン発生プログラム。
【発明の詳細な説明】
【技術分野】
【０００１】
本発明は、電子的に生成された複数のホログラムから出射する光をハーフミラーを介して重ね合わせた映像の非点収差を補正する電子ホログラフィの非点収差補正技術に関する。
【背景技術】
【０００２】
従来、電子ホログラフィにおいて、液晶パネル等の表示パネルにホログラムパターン（干渉縞）を表示し、ホログラムパターンが表示された表示パネルにレーザ光等の再生光を照射する立体表示装置が知られている（例えば、特許文献１参照）。表示される電子ホログラフィ映像をカラー化したり、視域を拡大したり、映像サイズを拡大したりする場合、通常、ホログラムパターンを表示する複数の表示パネルからそれぞれ出射する再生された物体光（以下、ホログラム光という）をハーフミラーで合成する。複数のホログラム光を合成するための電子ホログラフィシステムの構成例を図９に示す。
【０００３】
図９に示す電子ホログラフィシステム１００は、２台の表示パネル１１０（１１０ａ，１１０ｂ）と、２台の光源１２０（１２０ａ，１２０ｂ）と、光軸に対して４５度の角度に配置された３枚のハーフミラー１３０（１３０ａ，１３０ｂ，１３０ｃ）と、ホログラムパターン発生装置１４０とを備えている。ホログラムパターン発生装置１４０は、表示する被写体上の各点を点光源として、そこから出射する光が、表示パネルであるホログラム面に形成するホログラムパターンを計算する。電子ホログラフィシステム１００では、ホログラムパターン発生装置１４０で生成されて送出されるそれぞれのホログラムパターンを表示パネル１１０ａ，１１０ｂに表示させる。そして、一方の光源１２０ａは、ハーフミラー１３０ａを介して表示パネル１１０ａに参照光を照射する。この光源１２０ａからの光の照射に応じて表示パネル１１０ａから出射するホログラム光は、ハーフミラー１３０ａで直角に反射して、ハーフミラー１３０ｂを通過する。また、光源１２０ｂは、ハーフミラー１３０ｃを介して表示パネル１１０ｂに参照光を照射する。この光源１２０ｂからの光の照射に応じて表示パネル１１０ｂから出射するホログラム光は、ハーフミラー１３０ｃおよびハーフミラー１３０ｂでそれぞれ直角に反射し、ハーフミラー１３０ｂを通過するホログラム光と重ね合わされる（合成される）。
【特許文献１】特開２００３−１７３１２８号公報（段落００６７，００６８、図８）
【発明の開示】
【発明が解決しようとする課題】
【０００４】
しかしながら、図９に示すように、光源１２０ａ，１２０ｂから照射される光を用いてそれぞれ再生された、２つのホログラム光をハーフミラーで合成する場合には、一方のホログラム光はハーフミラー１３０ｂを通過する必要がある。図９に示す例では、表示パネル１１０ａから出射するホログラム光は、ハーフミラー１３０ｂを４５度の入射角で通過するので、このホログラム光には非点収差が発生する。非点収差は、点光源から出射する光についてのある平面上（例えば鉛直面）での広がり中心と、別の平面上（例えば水平面）での広がり中心とが異なって見える現象である。
【０００５】
ハーフミラー１３０ｂを通過する光は、例えば、図１０に示すように拡散する。図１０では、ハーフミラー１３０ｂのミラー面（ミラー表面、ミラー裏面）に平行なｙｚ平面を鉛直方向に配置して表示したが、実際には、図１１（ａ）に示すように、ｚ軸（垂直軸）を回転の中心としてｚ軸正方向から視て４５度左回転した角度に配置されている。そして、光源９０１は、図１０において横方向（水平面の広がり方向）からミラー面に対して４５度の入射光（横拡散光）９１１を照射するものとして説明する。ここで、横方向とは図１１（ａ）において紙面の面内の進行方向を示し、縦方向とは図１１（ａ）において紙面と垂直な面内の進行方向を示す。この場合、図１１（ｂ）に示すように、ｙ軸正方向からｘｚ平面への射影を視ると、ミラー面への入射光の縦方向（垂直方向）の拡散光（縦拡散光）９１２はミラー面と直角をなしている。
【０００６】
図１１（ａ）に示す横拡散光（ｘｙ面と平行な方向に広げた扇の要を光源９０１の位置とする光）９１１は、ハーフミラー１３０ｂを構成するガラスの屈折作用により、例えば、図１０に示す表面側水平線９０２から裏面側水平線９０３にかけて屈折してハーフミラー１３０ｂを通過する。裏面側水平線９０３から出射する光は入射角と同じ角度で出射する。この出射光をミラー裏面側から観測したときに、出射光を逆方向に延長した交点は、横拡散光の像９０４が結像する点となる。横拡散光の像９０４は、光軸がずれると共に、光源９０１の位置からハーフミラー１３０ｂ側に近づく。この横拡散光の像９０４の位置には、図１０においてｚ軸方向の縦線光源が生じているように見える。
【０００７】
また、図１１（ｂ）に示す縦拡散光（ｘｚ平面と平行な方向に広げた扇の要を光源９０１の位置とする光）９１２は、ハーフミラー１３０ｂを構成するガラスの屈折作用により、例えば、図１０に示すミラー表面側鉛直線９０５から裏面側鉛直線９０６にかけて屈折してハーフミラー１３０ｂを通過する。裏面側鉛直線９０６から出射する光は入射角と同じ角度で出射する。この出射光をミラー裏面側から観測したときに、出射光を逆方向に延長した焦点は、縦拡散光の像９０７が結像する点となる。縦拡散光の像９０７は、光軸がずれると共に、光源９０１の位置からハーフミラー１３０ｂ側に近づく。この縦拡散光の像９０７の位置には、図１０においてｙ軸方向の横線光源が生じているように見える。
【０００８】
このように観測される像の位置が光源９０１からずれるときのズレ量は、ミラー表面に対する光の入射角度で異なる。そのため、縦方向と横方向で入射角が異なる場合は、光源位置がずれて見えるという、いわゆる非点収差が発生する。図１０の例では、光源９０１は、横方向（水平方向）からハーフミラー１３０ｂのミラー面に対して４５度で光を照射するものとしたので、横拡散光の像９０４の方が、光源９０１の位置からのズレ量が大きくその分だけハーフミラー１３０ｂ側に近づく。
【０００９】
ホログラム光を合成するために、例えば図１２で示す光学系を用いた場合には、非点収差が生じるために、再生像が図１３に示すように劣化する。図１２は、ハーフミラーを用いてホログラム光による映像をカラー化して表示する光学系の一例を示す構成図である。表示パネル１１０Ｒ，１１０Ｇ，１１０Ｂ、および、光源１２０Ｒ，１２０Ｇ，１２０Ｂは、赤（Ｒ）、緑（Ｇ）、青（Ｂ）にそれぞれ対応している。光源１２０Ｒから出射する光は、ピンホール１５０Ｒとレンズ１６０ａで構成されるコリメータによって平行光にされて、ハーフミラー１３０ａを通過して表示パネル１１０Ｒを照射する。そして、表示パネル１１０Ｒから出射するホログラム光は、ハーフミラー１３０ａ，１３０ｂでそれぞれ直角に反射してハーフミラー１３０ｃを通過する。このハーフミラー１３０ｃを通過した光は、レンズ１６０ｂで集光されて遮光板１７０の開口を介してレンズ１６０ｃの前方に像を形成する。ここで、レンズ１６０ｂとレンズ１６０ｃとはリレーレンズ系を形成している。
【００１０】
また、光源１２０Ｇから出射する光は、ピンホール１５０Ｇとレンズ１６０ｄで構成されるコリメータで平行光にされてハーフミラー１３０ｄで直角に反射して表示パネル１１０Ｇを照射する。そして、表示パネル１１０Ｇから出射するホログラム光は、ハーフミラー１３０ｄ，１３０ｂ，１３０ｃを通過する。ハーフミラー１３０ｃを通過した光は、リレーレンズ系の外側から観測可能となる。光源１２０Ｇから出射する光は、３枚のハーフミラー１３０ｄ，１３０ｂ，１３０ｃを通過しており、光源１２０Ｒから出射されて１枚のハーフミラー１３０ｃを通過する光と比較すると、その非点収差が３倍にもなる。さらに、光源１２０Ｂから出射する光は、ピンホール１５０Ｂとレンズ１６０ｅで構成されるコリメータによって平行光にされて、ハーフミラー１３０ｅを通過して表示パネル１１０Ｂを照射する。そして、表示パネル１１０Ｂから出射するホログラム光は、ハーフミラー１３０ｅ，１３０ｃでそれぞれ直角に反射し、リレーレンズ系の外側から観測可能となる。この光源１２０Ｂから出射する光は、ハーフミラーを通過しないので、ハーフミラーによる非点収差が生じない。
【００１１】
図１３は、図１２の光学系で撮影された映像の一例であって、（ａ）は緑縦線にピントを合わせて撮影した映像、（ｂ）は緑横線にピントを合わせて撮影した映像をそれぞれ示す。この映像は、赤緑青２枚ずつ合計６枚の正方形の板をそれぞれ示す被写体１８０Ｒ1，１８０Ｒ2，１８０Ｇ1，１８０Ｇ2，１８０Ｂ1，１８０Ｂ2を、同色が縦方向に並ぶように、ホログラム面（以下、ホロ面という）から等距離に置いたときに、リレーレンズ系の外側から観測したものを示している。図１２の光学系では、表示パネル１１０Ｇから出射するホログラム光（緑）は、最も非点収差が大きい。そこで、緑の板の縦線（緑縦線）にピントを合わせた場合には、図１３（ａ）に示すように、緑の板、すなわち、被写体１８０Ｇ1，１８０Ｇ2の横線（水平線）は、縦線（垂直線）と比べて輪郭がぼやける。また、緑の板の横線（緑横線）にピントを合わせた場合には、図１３（ｂ）に示すように、緑の板、すなわち、被写体１８０Ｇ1，１８０Ｇ2の縦線（垂直線）は、横線（水平線）と比べて輪郭がぼやける。そのため、非点収差の生じているホログラム光（緑）と他の色のホログラム光を合成してカラー立体映像を表示する場合、立体映像を高品質な状態で再生することができない。
【００１２】
本発明は、以上のような問題点に鑑みてなされたものであり、電子的に生成された複数のホログラムから出射する光をハーフミラーを介して重ね合わせる際に発生する非点収差を補正する技術を提供することを目的とする。
【課題を解決するための手段】
【００１３】
本発明は、前記目的を達成するために創案されたものであり、まず、請求項１に記載のホログラムパターン発生装置は、被写体上の各点を点光源として出射する物体光で形成されるホログラムパターンを表示する複数の表示パネルと、前記表示パネルへ参照光を照射する複数または単一の光源と、前記参照光に応じて前記表示パネルから出射する再生された物体光が通過または反射した後に重なり合うように配設された複数のハーフミラーと、前記ホログラムパターンを生成するホログラムパターン発生装置とを備える電子ホログラフィシステムにおける前記ホログラムパターン発生装置において、前記被写体上の点光源を、前記点光源から出射した光が前記ハーフミラーを通過する際に生じる非点収差を含んだことと等価な、互いに離間して直交する２つの線光源の、互いの位置を入れ替えて生成される新たな２つの線光源のうちのいずれか一方に置き換えて、前記ホログラムパターンを計算するホログラムパターン計算手段を備えることを特徴とする。
【００１４】
かかる構成によれば、ホログラムパターン発生装置は、生成したホログラムパターンを表示する表示パネルから出射する、再生された物体光がハーフミラーを通過する際に生じる非点収差に合わせて、逆の非点収差を発生するものとして求められた線光源を用いてホログラムパターンを予め生成することとなる。したがって、表示パネル上の点光源を線光源に置き換えて計算されたホログラムパターンにより発生するホログラム光は、ハーフミラーを通過することにより、表示パネル上の元の点光源の収差が打ち消されるように補正され、非点収差のない電子ホログラフィ映像を再生する。ここで、再生された物体光がハーフミラーを通過する際に生じる非点収差は、再生光の波長とハーフミラーの屈折率に依存するものであり、電子ホログラフィシステムの光学系の構成を決めれば、ハーフミラーによる非点収差を一意に補正することができる。つまり、ハーフミラーによる非点収差を打ち消す量は、表示する映像とは関係なく独立に決定することができる。
【００１５】
また、請求項２に記載のホログラムパターン発生装置は、請求項１に記載のホログラムパターン発生装置において、前記点光源から出射した光が通過するハーフミラーの厚みおよび屈折率を含む非点収差情報に基づいて、前記新たな２つの線光源の間の距離を前記非点収差の収差量として前記新たな２つの線光源の位置と初期位相とを求める線光源計算手段をさらに備え、前記ホログラムパターン計算手段は、前記２つの線光源の互いの位置を入れ替える際に、前記点光源から出射する初期位相０の光が、前記新たな２つの線光源のうちの当該点光源から離間した線光源の位置に達したときの位相の符号を反転させたものを新たな線光源の初期位相とすることを特徴とする。
【００１６】
かかる構成によれば、ホログラムパターン発生装置は、線光源計算手段によって、２つの線光源間の距離を非点収差の収差量とすることで線光源の位置と初期位相を計算する。そして、ホログラムパターン発生装置は、ホログラムパターン計算手段によって、算出された位置に配置された線光源を用いて、ホログラムパターンを計算する。ここで、線光源間の距離は、例えば、表示パネルから出射するそれぞれの物体光が通過するハーフミラーの枚数に比例させることができる。
【００１７】
また、請求項３に記載のホログラムパターン発生装置は、請求項２に記載のホログラムパターン発生装置において、前記新たな２つの線光源が、前記点光源から後方に出射する初期位相０の拡散光で形成される線光源の位相の符号を反転した初期位相を有する第１線光源と、この第１線光源から前方に出射する拡散光により前記点光源の位置に形成される第２線光源であり、前記ホログラムパターン計算手段が、前記第１線光源を用いて前記ホログラムパターンを計算することを特徴とする。
【００１８】
かかる構成によれば、ホログラムパターン発生装置は、被写体上の点光源と置き換えて用いられる線光源として、点光源から離間した第１線光源を用いて、ホログラムパターンを生成する。この第１線光源は、初期位相の符号が反転されているので、初期位相を進めることができ、元の点光源の位置に収束するような拡散光を出射することのできる線光源である。そして、第１線光源は、例えば、元の点光源が縦方向（垂直方向）に広がった線光源であり、元の点光源の位置に縦方向の焦点を結び、この焦点から縦方向（垂直方向）に再度拡散する光に相当する。このような第１線光源を用いると、ハーフミラーの非点収差を補正したホログラムパターンを正確に計算できる。
【００１９】
また、請求項４に記載のホログラムパターン発生装置は、請求項２に記載のホログラムパターン発生装置において、前記新たな２つの線光源が、前記点光源から後方に出射する初期位相０の拡散光で形成される線光源の位相の符号を反転した初期位相を有する第１線光源と、この第１線光源から前方に出射する拡散光により前記点光源の位置に形成される第２線光源であり、前記ホログラムパターン計算手段が、前記第２線光源を用いて前記ホログラムパターンを計算することを特徴とする。
【００２０】
かかる構成によれば、ホログラムパターン発生装置は、被写体上の点光源と置き換えて用いられる線光源として、点光源の位置に形成される第２線光源を用いて、ホログラムパターンを生成する。この第２線光源は、例えば、元の点光源が横方向（水平方向）に広がった横線光源であり、元の点光源から後方に出射した光により形成される縦線光源の位置に横方向の焦点を結び、この焦点から横方向（水平方向）に再度拡散する光で形成される。この横線光源は、元の点光源の位置に形成されるので、縦線光源の位置における進み位相を遅らせた初期位相を有する。
【００２１】
また、請求項５に記載のホログラムパターン発生装置は、請求項１ないし請求項４のいずれか一項に記載のホログラムパターン発生装置において、前記ホログラムパターン計算手段が、カラー表示に対応した３原色の光源をそれぞれ参照光とする前記複数の表示パネルに表示させるホログラムパターンをそれぞれ計算することを特徴とする。
【００２２】
かかる構成によれば、ホログラムパターン発生装置は、ホログラムパターン計算手段によって、カラー表示に対応したホログラムパターンをそれぞれ計算する。これにより、ハーフミラーを通過する際に生じる非点収差を補正した高品質のカラー映像を再生できる。
【００２３】
また、請求項６に記載の電子ホログラフィの非点収差補正方法は、被写体上の各点を点光源として出射する物体光で形成されるホログラムパターンを表示する複数の表示パネルと、前記表示パネルへ参照光を照射する複数または単一の光源と、前記参照光に応じて前記表示パネルから出射する再生された物体光が通過または反射した後に重なり合うように配設された複数のハーフミラーと、前記ホログラムパターンを生成するホログラムパターン発生装置とを備える電子ホログラフィシステムにおける電子ホログラフィの非点収差補正方法において、前記ホログラムパターン発生装置が、前記点光源から出射した光が通過するハーフミラーの厚みおよび屈折率を含む非点収差情報に基づいて、前記点光源から出射した光が前記ハーフミラーを通過する際に生じる非点収差を含んだことと等価な、互いに離間して直交する２つの線光源の間の距離を前記非点収差の収差量として前記２つの線光源の位置と初期位相とを求める線光源計算ステップと、前記点光源を、前記２つの線光源の互いの位置を入れ替えて生成される新たな２つの線光源のうちのいずれか一方に置き換えて、前記ホログラムパターンを計算するホログラムパターン計算ステップとを含んで実行することを特徴とする。
【００２４】
かかる手順によれば、ホログラムパターン発生装置は、生成したホログラムパターンを表示する表示パネルから出射する、再生された物体光がハーフミラーを通過する際に生じる非点収差を含んだことと等価な２つの線光源の位置と初期位相とを求め、これら２つの線光源の互いの位置を入れ替えることで、逆の非点収差を発生する新たな２つの線光源を求める。そして、ホログラムパターン発生装置は、被写体上の点光源を新たな線光源に置き換えてホログラムパターンを計算する。したがって、このようにして計算されたホログラムパターンにより発生するホログラム光は、ハーフミラーを通過することにより、被写体上の元の点光源の収差が打ち消されるように補正され、非点収差のない電子ホログラフィ映像を再生する。
【００２５】
また、請求項７に記載のホログラムパターン発生プログラムは、被写体上の各点を点光源として出射する物体光で形成されるホログラムパターンを表示する複数の表示パネルと、前記表示パネルへ参照光を照射する複数または単一の光源と、前記参照光に応じて前記表示パネルから出射する再生された物体光が通過または反射した後に重なり合うように配設された複数のハーフミラーと、前記ホログラムパターンを生成するホログラムパターン発生装置とを備える電子ホログラフィシステムにおいて前記ホログラムパターンを発生させるために、コンピュータを、前記点光源から出射した光が通過するハーフミラーの厚みおよび屈折率を含む非点収差情報に基づいて、前記点光源から出射した光が前記ハーフミラーを通過する際に生じる非点収差を含んだことと等価な、互いに離間して直交する２つの線光源の間の距離を前記非点収差の収差量として前記２つの線光源の位置と初期位相とを求める線光源計算手段、前記点光源を、前記２つの線光源の互いの位置を入れ替えて生成される新たな２つの線光源のうちのいずれか一方に置き換えて、前記ホログラムパターンを計算するホログラムパターン計算手段として機能させることを特徴とする。
かかる構成によれば、このプログラムをインストールされたコンピュータは、ハーフミラーで生じる非点収差を補正したホログラムパターンを計算することができる。
【発明の効果】
【００２６】
請求項１に記載の発明によれば、本発明のホログラムパターン発生装置を用いた電子ホログラフィシステムは、物体光がハーフミラーを通過する際に生じる非点収差を補正できるので、映像をカラー化したり、視域を拡大したり、映像サイズを拡大したりする場合に、高品質な電子ホログラフィ映像を提供することができる。また、本発明のホログラムパターン発生装置を用いた電子ホログラフィシステムでは、非点収差を打ち消す補正をホログラムパターンに組み込んでいるので、補正するための装置や部品を追加する必要がなく、コンパクトな構成で高品質の電子ホログラフィ映像を提供することができる。
【００２７】
請求項２、請求項６または請求項７に記載の発明によれば、ホログラムパターン発生装置は、物体光がハーフミラーを通過する際に生じる非点収差の量を計算して正確に補正できるので、ホログラムパターン発生装置を用いた電子ホログラフィシステムは、映像をカラー化したり、視域を拡大したり、映像サイズを拡大したりする場合に、高品質な電子ホログラフィ映像を提供することができる。
【００２８】
請求項３に記載の発明によれば、ホログラムパターン発生装置は、非点収差を打ち消す補正を、元の点光源から離間した線光源によって行うので、ホログラム面より後ろの被写体によって形成されるホログラムパターンに容易に組み込むことができる。
請求項４に記載の発明によれば、ホログラムパターン発生装置は、非点収差を打ち消す補正を、元の点光源の位置に設けた線光源によって行うので、ホログラム面より手前にある被写体によって形成されるホログラムパターンに容易に組み込むことができる。このように、ホログラムパターンを形成する被写体をホログラム面よりも観測側に近い位置に置く場合（観測側から視てホログラム面よりも手前に置く場合）、被写体上の点光源と同じ位置に設けた横線光源はホログラム面をまたがった反対側に位置することがなく、配置を入れ替える前後でホログラム面から光源までの距離が変わらず、ホログラム面上において、非点収差が補正されたホログラムパターンを容易に計算することができる。
請求項５に記載の発明によれば、本発明のホログラムパターン発生装置を用いた電子ホログラフィシステムは、カラーの高品質な電子ホログラフィ映像を提供することができる。
【発明を実施するための最良の形態】
【００２９】
以下、図面を参照して本発明の電子ホログラフィの非点収差補正方法およびホログラムパターン発生装置を実施するための最良の形態（以下「実施形態」という）について詳細に説明する。
【００３０】
［電子ホログラフィシステムの構成］
図１は、電子ホログラフィシステムを模式的に示すブロック図である。
電子ホログラフィシステム１は、被写体像を再生するために予め、被写体上の各点を点光源として、そこから出射した光が参照光と干渉して表示パネル１０の位置に形成する干渉縞として生成されたホログラムパターンを表示する複数の表示パネル１０（１０ａ，１０ｂ）と、ホログラムパターンが表示された表示パネル１０へ参照光を照射する複数の光源２０（２０ａ，２０ｂ）と、複数のハーフミラー３０（３０ａ，３０ｂ，３０ｃ）と、ホログラムパターンを生成するホログラムパターン発生装置４０とを備える。
【００３１】
表示パネル１０は、例えば、液晶パネルから構成され、光源２０は、例えば、レーザ光を照射する。光源２０ａ，２０ｂは異なる色のレーザ光を照射し、カラーホログラム映像を再生する。なお、図１に示した表示パネル１０や光源２０の台数は、一例である。
各ハーフミラー３０は、参照光に応じて表示パネル１０から出射する物体光が反射または透過した後に重なり合うように配設されている。
ホログラムパターン発生装置４０は、非点収差の補正を含んだホログラムパターンを生成し、各表示パネル１０に出力して表示させる。
【００３２】
［非点収差補正の原理］
ここで、非点収差の補正を含んだホログラムパターンを生成する原理について説明する。図２は、被写体上の各点光源２０１から出射する光（例えば、図１３に示した緑色の板で示す被写体１８０Ｇ1，１８０Ｇ2の各点から出る光）が非点収差を含んだことと等価な、互いに離間して直交する２つの線光源として、横線光源２０２および縦線光源２０３を示す図である。点光源２０１から出射する光は、非点収差を考慮した場合には、その後方（図２においてＺ軸の負の方向）の横線光源２０２から出射する光、または、点光源２０１の位置にある縦線光源２０３から出射する光としてモデル化することができる。横線光源２０２と縦線光源２０３との図２のＺ軸方向の距離Ｚ0は、非点収差のずれ量（収差量）を示している。なお、図２では、横線光源２０２と縦線光源２０３とをデフォルメして表示した。
【００３３】
横線光源２０２から出射する光は、縦方向（Ｙ軸方向）では半角θで一様に広がり、横方向（ＸＺ平面に平行な方向）では点光源２０１の位置に収束する。このような横線光源２０２は、点光源２０１から後方に出射された初期位相０の光が、横線光源２０２の位置に到達したときの光の位相の正負を反転することによって作ることができる。
【００３４】
また、縦線光源２０３は、この横線光源２０２から出射された光が、点光源２０１の位置に到達したときに形成される。この縦線光源２０３では、縦方向（Ｙ軸方向）に広がる光は、横線光源２０２上に収束するように見え、横方向（ＸＺ平面に平行な方向）に広がる光の焦点位置は、点光源２０１の位置に収束するように見える。
【００３５】
図２に示した線光源モデルを応用して、再生される被写体像（以下、単に被写体という）を構成する被写体上の各点から出射する光（各点光源）を、逆の非点収差を持った線光源に置き換えることで、ハーフミラーの非点収差を補正することができる。つまり、各点光源を、非点収差を含んだことと等価な、互いに離間して直交する２つの線光源について、その離間した線光源を互いに入れ替えて生成される新たな２つの線光源のうちのいずれか一方に置き換えることでハーフミラーの非点収差を補正することができる。配置を入れ替えて生成される新たな２つの線光源は、例えば、点光源から離間して形成される縦線光源（第１線光源）と、点光源の位置に形成される横線光源（第２線光源）とすることができる。この縦線光源（第１線光源）は、元の点光源から後方に出射した初期位相０の光が縦線光源の位置に到達したときの位相の符号を反転した初期位相を有する。
【００３６】
例えば、図３に示すように、被写体上の点３０１から出射する光（点光源）を、逆の非点収差を発生させる縦線光源３０２に変換することができる。この縦線光源３０２を用いて、被写体上の点３０１から図３のＺ方向に距離Ｚだけ離間したホログラム面（以下、ホロ面という）において非点収差が補正された点としてホロ面上の光３０３が求められる。図３では、縦線光源３０２のうちの１つの点をホロ面上の光３０３を示す点に対応付けて示したが、実際には縦線光源３０２の線上のすべての点の光がホロ面上の光３０３を示す点に対応している。ここで、図３に示すＺ0、θは図２に示したものと同様である。つまり、被写体上の点３０１を点光源として、この点光源から縦線光源３０２への縦方向（垂直方向）の広がり角がθであり、この点光源と縦線光源３０２との距離Ｚ0が収差量を示す。被写体上の点３０１と同様にして、被写体上の各点それぞれを縦線光源に変換することで、被写体上のすべての点（点光源）に対応したホログラムパターンとして、ホロ面における干渉縞の濃淡が計算されることとなる。
【００３７】
また、配置を入れ替えて生成される２つの線光源のうち、点光源の位置に形成される横線光源（第２線光源）は、縦線光源（第１線光源）上の各点から出射する拡散光が点光源の位置に形成するものである。例えば、縦線光源３０２を利用する代わりに、被写体上の点３０１から出射する光（点光源）を、逆の非点収差を発生させる横線光源３０４に変換してホロ面上の光３０３を計算することもできる。図３では、横線光源３０４のうちの１つの点をホロ面上の光３０３を示す点に対応付けて示したが、実際には横線光源３０４の線上のすべての点の光がホロ面上の光３０３を示す点に対応している。なお、図３では、縦線光源３０２と横線光源３０４とをデフォルメして表示した。また、θは実際には２度程度である。
以下では、縦線光源３０２を利用してホログラムパターンを計算するものとして説明する。
【００３８】
［ホログラムパターン発生装置の構成］
ホログラムパターン発生装置４０は、被写体上の各点（各点光源）に代えて、参照光に応じて表示パネル１０から出射する物体光がハーフミラー３０を通過する際に生じる非点収差と逆の広がり中心を持つ線光源を仮定し、この線光源から出射する光に基づいてホログラムパターンを求めることで非点収差を補正する処理を行うものである。このホログラムパターン発生装置４０は、例えば、ＣＰＵ（Central Processing Unit）と、ＲＡＭ（Random Access Memory）と、ＲＯＭ（Read Only Memory）と、ＨＤＤ（Hard Disk Drive）と、入出力インタフェース等から構成される。このホログラムパターン発生装置４０は、図１に示すように、線光源計算手段４１と、ホログラムパターン計算手段４２とを備えている。
【００３９】
線光源計算手段４１は、点光源から出射した光が通過するハーフミラー３０の厚みおよび屈折率を含む非点収差情報に基づいて、点光源から出射する光がハーフミラー３０を通過する際に生じる非点収差を含んだことと等価な、互いに離間して直交する２つの線光源について、その離間した距離を、非点収差の収差量として求めるものである。ここで、非点収差情報は、例えば、光源２０から照射される光の波長λ、ハーフミラー３０の屈折率ｎ、ハーフミラーの厚さＴを含む。
本実施形態では、ホログラムパターン計算手段４２は、カラー表示に対応した３原色の光源をそれぞれ参照光とする表示パネル１０に表示させるホログラムパターンをそれぞれ計算する。
【００４０】
ここで、線光源計算手段４１による非点収差量の求め方について、縦方向に広がる光（縦拡散光）と、横方向に広がる光（横拡散光）に分けて説明する。まず、縦拡散光の焦点位置の算出方法について式（１）〜式（４）および図４を参照して説明する。
ここでは、図３に示した被写体上の点３０１（その座標は（Ｘ，Ｙ，Ｚ））を図４において光源４０１とする。また、図４において被写体上の点（光源４０１）からホロ面（ミラー表面）までのｘ軸に沿った方向（以下、ｘ方向という）の距離をＺで表すこととする。尚、図３に示したＺはホロ面に対して垂直な方向に計った距離であり、図４のＺとは異なる。
【００４１】
【数１】
0004963467.tif 000002
【００４２】
図４に示すように、光源４０１からミラー裏面までの距離はＺ＋Ｔである。ｘ方向における光源のずれ量（Δ1）は、式（１）で求められる。また、式（２）に示すΔVは、光源４０１から水平方向に出射された光（４５度の入射角でハーフミラー３０を通過する光）の光軸に沿ったずれ量、すなわち、ここで算出する結果である。式（１）〜式（４）および図４についての詳細な説明は以下の通りである。
【００４３】
式（４）に示すｒは、光源４０１から水平方向に出射された光がハーフミラー３０に４５度の角度で入射したときに屈折する角度を表しており、この角度は、スネルの法則に基づいている。従って、式（３）に示すように、この角度ｒを用いて計算したαの値は、この光がハーフミラー３０を通り抜けるまでの間に、ミラー面に沿って進む距離を示す。ここで、ミラー面に沿った方向においてハーフミラー３０への入射点と光源４０１との間の距離（すなわち、光源４０１からハーフミラーに下した垂線の足の位置から上記入射点までのミラー面に沿った距離）は、光源４０１からハーフミラー３０のミラー表面に下ろした垂線の長さＺに等しい。式（１）ないし（４）より、このずれ量Δ1又はΔVは、被写体までの距離Ｚに依存しない事が分かる。
【００４４】
また、４５度の入射角でハーフミラー３０を通過した光は、入射角（４５度）と同じ角度で出射する。この出射する光を逆方向に延長した光軸と、光源４０１からミラー表面に下ろした垂線との交点を符号４０２で示す。この交点４０２から、ミラー裏面までの距離は、図４より（Ｚ＋α）に等しい。また、光源４０１からミラー表面に垂直（９０度）に入射した光は屈折せずに通過するので、この９０度の入射角で通過した光を逆方向に延長した光軸と、４５度の角度で出射する光を逆方向に延長した光軸とは交点４０２で交わる（例えば図１０、図１１（ｂ）参照）。垂直に拡散する光のミラー面とのなす角度は９０±1.8°程度であるので、交点４０２は、光源４０１から縦方向に拡散する光（縦拡散光）の焦点（見かけの光源）とみなせる。
【００４５】
次に、横拡散光の焦点位置の算出方法について式（５）〜式（１０）および図５を参照（適宜図１１（ａ）参照）して説明する。なお、図５に示すＺは、図４に示したＺと同じものであり、図３に示したＺとは異なる。
【００４６】
【数２】
0004963467.tif 000003
【００４７】
式（５）に示すΔ2は、光源４０１と横拡散光の焦点５０２との間のミラー面の法線方向（ｘ軸方向）のズレ量である。ここで、ｘは、横拡散光の焦点５０２からミラー裏面までの距離である。横拡散光の焦点５０２は、光源４０１からミラー表面へ下ろした垂線から、ミラー面に沿ってｙだけずれている。したがって、図５の水平方向において、光源４０１と横拡散光の焦点５０２との距離は、図５（ｂ）に拡大して示すように、ミラー法線方向のズレ量Δ2とミラー面に沿ったズレ量ｙとにそれぞれcos45を掛けて足したものとなり、式（６）で表される。つまり、図５に示す光源４０１（図４に示す光源４０１）から横方向に拡散する光の焦点（見かけの光源）の位置へのずれ量ΔHは、式（６）で求められる。
【００４８】
横拡散光の焦点５０２を求めるには、図５（ａ）に示すように、光源４０１から水平方向に出射された光がハーフミラー３０に４５度の角度で入射する際に、この４５度の入射角度を中心としてその両側に±θの角度で横方向にそれぞれ広がる光を想定する。ここで、θは被写体上の点から横方向に広がる光の角度であり、現在の電子ホログラフィシステムでは数度以内である。この光がハーフミラー３０を通過して出射光になった３つの光軸を逆方向に延長して交わる点が、光源４０１から横方向に拡散する光（横拡散光）の焦点（見かけの光源）になる。また、スネルの法則に基づいて式（７）および式（８）の関係式が求められる。
【００４９】
【数３】
0004963467.tif 000004
【００５０】
式（７）および式（８）の関係式を用いると、横拡散光の焦点５０２からミラー裏面までの距離ｘと、ミラー面に沿ったズレ量ｙとが求められる。ｘ、ｙをそれぞれ式（９）および式（１０）に示す。なお、式（１０）において、αは前記した式（３）で示される。
【００５１】
【数４】
0004963467.tif 000005
【００５２】
式（９）および（１０）を、式（５）および（６）に代入する事により、ずれ量Δ２及びΔＨも、被写体までの距離Ｚに依存しない事が分かる。従って、非点収差の収差量ΔＨ−ΔＶは、被写体までの距離Ｚに依存しない。
ここで、非点収差の具体例を説明する。図４において、例えば、Ｚ＝100mm、Ｔ＝20mm、ｎ=1.519とすると、式（２）に示すΔVの値は6.704mmとなる。この場合には、縦拡散光の焦点４０２の位置は、光源４０１の位置よりも6.704mm光軸に沿ってハーフミラー３０側へ（前へ）ずれることとなる。
【００５３】
また、図５において、例えば、θ＝1.8°、Ｚ＝100mm、Ｔ＝20mm、ｎ=1.519とすると、式（６）に示すΔHの値は12.098mmとなる。この場合には、横拡散光の焦点５０２の位置は、光源４０１の位置よりも12.098mm光軸に沿ってハーフミラー３０側へ（前へ）ずれることとなる。なお、θ＝1.8°は、現在の電子ホログラフィで得られる最大回折角度である。また、横拡散光の焦点５０２と縦拡散光の焦点４０２とは、ハーフミラー３０から４５度の角度で出射する同じ光軸上にあるので、縦焦点と横焦点のずれは、出射光の光軸にそってのみ生じる。
【００５４】
この結果、ハーフミラー３０を通過した光の縦拡散光の焦点位置と横拡散光の焦点位置とのずれ量（収差量）は、出射光の光軸に沿って5.395ｍｍであり、横拡散光の焦点位置の方がよりハーフミラー３０側へ（前へ）ずれる。横拡散光の焦点には縦線光源が位置するので、縦線光源が横線光源よりも5.395ｍｍ前に出ることとなり、非点収差が発生している。
【００５５】
したがって、この非点収差を補正するために、図１に示す線光源計算手段４１は、光源４０１（点光源）に対して、光源４０１から前方に出射した光により形成される縦線光源と点対称な位置に配設された縦線光源の位置を算出する。この縦線光源は、点光源から後方に出射した光で形成される線光源としても計算できる。
例えば、線光源計算手段４１は、図３に示したように、縦線光源３０２の位置を、被写体上の点３０１よりもＺ0＝5.395mmだけ後方（ハーフミラー３０と反対側）の位置であるものとして算出する。このとき、図３に示すｙは縦線光源の長さの半値（Ｚ0tanθ）を示す。ここで、θは現在の電子ホログラフィで光が回折する最大角度（例えばθ＝1.8°）以内とする。
【００５６】
図１に戻って、ホログラムパターン発生装置４０の構成の説明を続ける。
ホログラムパターン計算手段４２は、点光源を、線光源計算手段４１で計算された線光源（縦線光源）に置き換えて用いて、ハーフミラー３０を通過する光を出射する各点光源に対応するホログラムパターンを計算する。本実施形態では、ホログラムパターン計算手段４２は、線光源（縦線光源）の初期位相を計算し、求めた初期位相を有した縦線光源から出射した光のホロ面（ホログラム面）上での濃淡を示す強度（振幅）を計算することで、ホログラムパターンを求める。ホログラムパターンは、求められた縦線光源から出る光がホロ面に到達したときの光を被写体上の点光源すべてについて足し合わせたものと、参照光の複素振幅との和から求められる。ただし、参照光はホロ面上では一様であるので、参照光の振幅を１とし、かつ、参照光の位相を０とすると、その結果（ホログラムパターン）は、式（１１）で表される被写体光の実数部分の値Ｐを点光源すべてについて足し合わせたものと同じになる。したがって、本実施形態では、ホログラムパターン計算手段４２は、求められた縦線光源から出射した光のホロ面上での値を式（１１）により計算する。
【００５７】
【数５】
0004963467.tif 000006
【００５８】
ここで、Ｐはホロ面上の点（Ｘ，Ｙ）における光の強さ、Ａは被写体上の点（点光源）の明るさ、ｄは縦線光源上の各点からホロ面上の点（Ｘ，Ｙ）までの直線距離（図３参照）、ｋ＝２π／λは波数、λは元の点光源の波長を示す。なお、被写体上の点の位置座標は（Ｘ，Ｙ，Ｚ）である。また、φ0は、縦線光源上の各点位置での光の初期位相であり、式（１２）で示される。式（１２）に示すように、縦線光源は、配置を入れ替える前の線光源の初期位相の符号を反転した初期位相を有する（マイナス符号である）。これにより、縦線光源から出た縦方向の光が点光源の位置に到達するまでの位相遅れをキャンセル出来、縦方向の光は、元の点光源の位置ですべて初期位相０の光となり、互いに強めあって、点光源の位置に縦方向に収束する。ちなみに、縦線光源から出た横方向に広がる光は、点光源の位置では、一様に横に広がった光となり、横線光源を形成する。式（１２）において、Ｚ0は収差量、ｙは縦線光源の長さの半値をそれぞれ示す（図３参照）。なお、式（１２）に示すφ0は、Ｚ0≫ｙの場合には、式（１３）のように近似してもよい。
【００５９】
【数６】
0004963467.tif 000007
【００６０】
本実施形態によれば、ホログラムパターン発生装置４０は、生成したホログラムパターンを表示する表示パネル１０から出射するホログラム光がハーフミラー３０を通過する際に生じる非点収差に合わせて、逆の非点収差を有するホログラムパターンを予め生成する。したがって、このホログラムパターンにより発生するホログラム光は、ハーフミラー３０を通過することによりその収差が打ち消され、非点収差のない電子ホログラフィ映像を再生する。その結果、映像をカラー化したり、視域を拡大したり、映像サイズを拡大したりする場合に、高品質な電子ホログラフィ映像を提供することができる。また、電子ホログラフィシステム１では、非点収差を打ち消す補正をホログラムパターンに組み込んでいるので、補正するための装置や部品を追加する必要がなく、コンパクトな構成で高品質の電子ホログラフィ映像を提供することができる。
【００６１】
以上、本実施形態について説明したが、本発明はこれに限定されるものではなく、その趣旨を変えない範囲で様々に実施することができる。例えば、本実施形態では、被写体上の点を、その後方の縦線光源に置き換えるものとして説明したが、後方の縦線光源から出射した光が、被写体上の点（元の点光源）の位置に到達したときに形成される横線光源に置き換えることもできる。この横線光源では、縦方向に広がる光の焦点位置は、元の被写体上の点の位置になるが、横方向に広がる光の焦点位置は、後方の縦線光源上になり、ハーフミラーとは逆の非点収差を持つ光源となる。この場合には、ホログラムパターン発生装置４０の線光源計算手段４１は、光源４０１（点光源）に対して、光源４０１から前方に出射した光により形成される縦線光源と点対称な後方の位置に形成された縦線光源から出射する光が光源４０１の位置に形成する横線光源の位相を算出する。
【００６２】
この場合、ホログラムパターン発生装置４０のホログラムパターン計算手段４２は、求められた横線光源から出射した光のホロ面上での値を式（１１）で計算する際に、ｄを横線光源上の各点からホロ面上の点（Ｘ，Ｙ）までの距離とする。このとき、初期位相は式（１４）で示される。ここで、ｘは横線光源の長さの半値を示す。式（１４）に示すように、横線光源は、式（１２）で示した初期位相の符号を反転した初期位相を有する（プラス符号である）。これは、縦線光源の位置から初期位相０で横方向に拡散する光の位相を示している。ここで、式（１４）に示すφ0は、Ｚ0≫ｘの場合には、式（１５）のように近似してもよい。特に、被写体をホロ面より手前に置く場合には、この横線光源で補正を行うと、線光源の位置がホロ面をまたがったりすることがなく、容易にホロ面上の光を計算できる。なお、縦線光源と横線光源を混在して使う場合は、両者の初期位相を整合させる必要がある。例えば、横線光源のときにはその初期位相は、元の点光源の位置（ｘ＝０）で位相が０となるように、式（１４）の代わりに式（１６）を用いればよい。一方、縦線光源のときには、縦線光源から出る光の元の点光源位置での位相は０となるので、そのまま使える。また、Ｚの符号は、ホロ面を０とし、後方が正、手前が負である。
【００６３】
【数７】
0004963467.tif 000008
【００６４】
また、ホログラムパターン発生装置４０は、一般的なコンピュータを、前記した線光源計算手段４１と、ホログラムパターン計算手段４２として機能させるプログラム（ホログラムパターン発生プログラム）により動作させることで実現することができる。このプログラムは、通信回線を介して配布することも可能であるし、ＣＤ−ＲＯＭ等の記録媒体に書き込んで配布することも可能である。このプログラムをインストールされたコンピュータは、ＣＰＵが、ＲＯＭ等に格納されたこのプログラムをＲＡＭに展開することにより、ホログラムパターン発生装置４０と同等の効果を奏することができる。
【００６５】
また、本実施形態では、ホログラムパターン計算手段４２が線光源の初期位相を計算するものとしたが、線光源計算手段４１が線光源の初期位相を計算するようにしてもよい。
また、本実施形態では、ホログラムパターン発生装置４０は、線光源計算手段４１を備えるものとしたが、線光源計算手段４１は必須ではなく、ホログラムパターンを計算するための線光源の位置、すなわち、ハーフミラー３０で生じる非点収差量は、実測で求めることもできる。
【００６６】
また、本実施形態のホログラムパターン発生装置４０を用いて、視域拡大や再生映像サイズの拡大を行う場合には、その電子ホログラフィシステムにおいては、表示パネル１０を照射する光源は単一でもよい。この場合の電子ホログラフィシステムの構成の一例を図６に示す。図６に示すように、電子ホログラフィシステム１Ａは、１つの光源２０を共有して、ハーフミラー３０ｇとミラー３１（３１ａ，３１ｂ）とを追加した点が図１の構成と異なる。この場合には、光源２０から出射する光の半分が、ハーフミラー３０ｇで直角に反射し、表示パネル１０aを照射し、残りは、ハーフミラー３０ｇを通過し、ミラー３１ａ，３１ｂで直角に反射されて、表示パネル１０ｂを照射する。
【実施例】
【００６７】
本発明の効果を確認するために、ハーフミラーの非点収差の補正を組みこんだホログラムパターンを生成するホログラムパターン発生装置４０を含む電子ホログラフィシステムについて実験を行った。このときの光学系の構成を図７に示す。図７において、図１２に示した構成と同一の構成には同一の符号を付して説明を省略する。光源２０Ｒから出射する光は、ピンホール５０Ｒとレンズ６０ａで構成されるコリメータによって平行光にされて、ハーフミラー３０ａを通過して表示パネル１０Ｒを照射する。そして、表示パネル１０Ｒから出射するホログラム光は、ハーフミラー３０ａで直角に反射し、ハーフミラー３０ｂ，３０ｃを通過する。このハーフミラー３０ｃを通過した光は、２枚のハーフミラー３０ｂ，３０ｃを通過しており、リレーレンズ系（レンズ６０ｂ，６０ｃ）の外側から観測可能となる。
【００６８】
また、光源２０Ｇから出射する光は、ピンホール５０Ｇとレンズ６０ｄで構成されるコリメータによって平行光にされて、ミラー３１で直角に反射し、ハーフミラー３０ｄを通過して表示パネル１０Ｇを照射する。そして、表示パネル１０Ｇから出射するホログラム光は、ハーフミラー３０ｄ，３０ｂで直角に反射して、ハーフミラー３０ｃを通過する。ハーフミラー３０ｃを通過した光は、１枚のハーフミラー３０ｃを通過しており、リレーレンズ系の外側から観測可能となる。さらに、光源２０Ｂから出射する光は、ピンホール５０Ｂとレンズ６０ｅで構成されるコリメータによって平行光にされて、ハーフミラー３０ｅを通過して表示パネル１０Ｂを照射する。そして、表示パネル１０Ｂから出射するホログラム光は、ハーフミラー３０ｅ，３０ｃでそれぞれ直角に反射し、ハーフミラーを通過することなくリレーレンズ系の外側から観測可能となる。図７の光学系では、表示パネル１０Ｒから出射するホログラム光（赤）の非点収差が最も大きい。
【００６９】
図８は、図７の光学系で撮影された映像の一例であって、（ａ）は補正を行わずに撮影した比較例の映像、（ｂ）は補正を行って撮影した映像をそれぞれ示す。この映像は、縦横２枚ずつ合計４枚の赤色の板を被写体として、ホロ面より１０mm手前（上段２枚）、ホロ面より１０mm奥（下段２枚）にそれぞれ置いたときに計算で得られたホログラムパターンから出射する物体光を、リレーレンズ系の外側から観測したものを示している。
比較例では、図８（ａ）に示すように、カメラのピントは手前の板（上段の板）の横線に合わせているが、その縦線は、横線と比べて輪郭がぼやける。また、下段の板は、上段の板より20mm離れているために横線もぼやけている。
一方、非点収差を補正した場合には、図８（ｂ）に示すように、手前の板（上段の板）の横線にピントを合わせて撮影したものであるが、その縦線もシャープになった。下段の表示パネルは、上段の表示パネルより２０ｍｍ奥に引っ込んでいるので、その輪郭はぼけているが、下段の板にピントを合わせて撮影すれば、上段の板と同じくらいにシャープな映像が得られる。このように非点収差が補正されたホログラム光（赤）を用いて複数のホログラム光を合成することで映像をカラー化したり、視域を拡大したり、映像サイズを拡大したりする場合に、高品質な電子ホログラフィ映像を提供することができる。
【産業上の利用可能性】
【００７０】
本発明に係る電子ホログラフィの非点収差補正方法およびホログラムパターン発生装置は、電子ホログラフィによる立体映像再生方式を使った立体テレビや立体シネマ、立体ＴＶ電話、立体映像ゲーム、監視カメラや車載立体モニタカメラ等に利用することができる。また、電子ホログラフィによる立体映像の表示のみならず、一般にハーフミラーによりホログラム光を、実物体光や平面映像光等と重ね合わせて表示する、空間映像プロジェクタや空間映像ディスプレイ等にも利用することができる。
【図面の簡単な説明】
【００７１】
【図１】本発明の実施形態に係るホログラムパターン発生装置を含む電子ホログラフィシステムを模式的に示すブロック図である。
【図２】本発明の実施形態に係る非点収差補正方法で用いる非点収差のモデルを模式的に示す説明図である。
【図３】本発明の実施形態に係る非点収差補正方法を模式的に示す説明図である。
【図４】本発明の実施形態に係る非点収差補正方法における縦拡散光の焦点位置の算出方法を模式的に示す説明図である。
【図５】本発明の実施形態に係る非点収差補正方法における横拡散光の焦点位置の算出方法を模式的に示す説明図である。
【図６】単一光源を用いた電子ホログラフィシステムを模式的に示すブロック図である。
【図７】本発明の実施形態に係るホログラムパターン発生装置で生成する非点収差の補正を組み込んだホログラムパターンを用いた光学系の構成図である。
【図８】図７の光学系で撮影された映像の一例であって、（ａ）は補正のない比較例、（ｂ）は補正を行った実施例をそれぞれ示す。
【図９】従来のホログラムパターン発生装置を含む電子ホログラフィシステムを模式的に示すブロック図である。
【図１０】従来の電子ホログラフィシステムにおいてハーフミラーを通過する光を模式的に示す説明図である。
【図１１】図１０に示したハーフミラーを他の方向から視た説明図である。
【図１２】従来の電子ホログラフィシステムを用いてホログラム映像をカラー化して表示する光学系の一例を示す構成図である。
【図１３】図１２の光学系で撮影された映像の一例であって、（ａ）は緑縦線にピントを合わせて撮影した映像、（ｂ）は緑横線にピントを合わせて撮影した映像をそれぞれ示す。
【符号の説明】
【００７２】
１，１Ａ  電子ホログラフィシステム
１０（１０ａ，１０ｂ，１０Ｒ，１０Ｇ，１０Ｂ）  表示パネル
２０（２０ａ，２０ｂ，２０Ｒ，２０Ｇ，２０Ｂ）  光源
３０（３０ａ，３０ｂ，３０ｃ，３０ｄ，３０ｅ，３０ｇ）  ハーフミラー
３１（３１ａ，３１ｂ）  ミラー
４０    ホログラムパターン発生装置
４１    線光源計算手段
４２    ホログラムパターン計算手段
５０Ｒ，５０Ｇ，５０Ｂ  コリメータを構成するピンホール
６０ａ，６０ｄ，６０ｅ  コリメータを構成するレンズ
６０ｂ，６０ｃ  リレーレンズ系を構成するレンズ
７０    遮光板
【図１】
0004963467.tif 000009
【図２】
0004963467.tif 000010
【図３】
0004963467.tif 000011
【図４】
0004963467.tif 000012
【図５】
0004963467.tif 000013
【図６】
0004963467.tif 000014
【図７】
0004963467.tif 000015
【図９】
0004963467.tif 000016
【図１０】
0004963467.tif 000017
【図１１】
0004963467.tif 000018
【図１２】
0004963467.tif 000019
【図８】
0004963467.tif 000020
【図１３】
0004963467.tif 000021